(57)【要約】 【課題】  糖尿病患者には高齢者が多いため、測定器の煩雑な操作は敬遠され、ボタンレスの製品になることが多々ある。このようにボタンレスの製品の場合、製造工程以外のところで音量やカレンダーや時刻設定等の設定の切替を行うには煩雑な操作が必要になっていた。  【解決手段】  センサチップ１３の代わりに、センサチップの電極端子のひとつとその他の電極端子間の抵抗を任意に設定された機能切替用チップを挿入することで、機能切替用モードに入り、各種設定を変更することが簡単に出来る。【選択図】  図１
2005147688.tif 000002
【特許請求の範囲】
【請求項１】
採取した検体試料と試薬との反応により生じる電気信号を検出するための、複数の電極端子を備えたセンサチップが装着されるとともに、前記センサチップの電極端子と電気的接続をなして、検体試料中の測定対象物の濃度を、前記電気信号から測定するための接続端子を備える濃度測定器において、
前記測定用のセンサチップに代えて、電極端子間に任意の抵抗を持つ機能切替用チップを前記濃度測定器に装着可能に構成し、前記センサチップあるいは機能切替用チップが装着された後に、前記予め定めた接続端子を通じて前記チップに対して電圧を印加し、検出された前記接続端子間の抵抗値が所定の値である場合には、前記濃度測定器を、前記濃度を測定するモードから、濃度測定器の機能設定を変更するモードにすることを特徴とする濃度測定器の機能切替方法。
【請求項２】
濃度測定器は、１つの正極用の接続端子と、複数の負極用の接続端子を備えており、チップが装着された後に、前記正極用の接続端子と、所定の１つの負極用の接続端子との間の抵抗値を測定し、前記抵抗値に基づいてモードの変更を行うようにしたことを特徴とする請求項１に記載の濃度測定器の機能切替方法。
【請求項３】
チップが挿入されたときに測定される正極用の接続端子と、所定の１つの負極用の接続端子との間の抵抗値が無限大であるように設定された機能切替用チップを用いることを特徴とする請求項２に記載の濃度測定器の機能切替方法。
【請求項４】
正極用の接続端子に対応する電極端子と、負極用の接続端子に対応する電極端子との間に抵抗を備えた機能切替用チップを用い、機能設定を変更するモードに入った後に、前記濃度測定器の機能設定を変更することを特徴とする請求項２または３に記載の濃度測定器の機能切替方法。
【請求項５】
正極用の接続端子に対応する電極端子と、負極用の接続端子に対応する電極端子との間にそれぞれ抵抗を備えた機能切替用チップを用いることを特徴とする請求項４に記載の濃度測定器の機能切替方法。
【発明の詳細な説明】
【技術分野】
【０００１】
本発明は、使い捨て式のセンサチップを用いて、糖尿病患者が簡易に血糖値を測定することができるようにした血糖値測定器などの濃度測定器において、この濃度測定器を、血糖値などの測定用のモードから、濃度測定器の機能設定を行うモードに容易に切替ができるようにする技術に関するものである。
【背景技術】
【０００２】
糖尿病患者が自己の血糖値を簡易に測定することができるものとして、使い捨て式のセンサチップと、このセンサチップが装着される血糖測定器が広く普及している。
【０００３】
このような血糖測定器を使用する糖尿病患者には高齢者が多く、測定器の煩雑な操作は敬遠されがちである。このため操作性を考慮して、測定器の外部にはボタンのない、いわゆるボタンレスの製品になすることが要望されている。
【０００４】
しかしながら一方で、ユーザーは単に血糖値の測定だけを行うのではなく、時には、測定器のビープ音を鳴らすようにしたり、測定器の画面に表示される時刻、日付などのカレンダー、あるいは単位などの表示を変更したりするなど、測定器の機能設定を行いたいという要望もある。
【０００５】
そこで、従来、ボタンレスの製品の場合における、測定用のモードから、機能設定を行うモードに変更する場合の操作方法として、例えば、電池蓋を開け電池を取り出す。そして測定器本体にチップを装着し、電池を再度装着する。ここでチップ検出回路がチップの装着を確認すると、マイコンが立ち上がり、所定の時間内にチップが抜き取られるかどうかを監視する。さらに所定の時間内にチップが装着されるかどうかを監視し、これらチップの挿脱を所定の回数繰り返すことによりビープ音などの設定の切り換えを行うなどにより、モードの切替を行っている（例えば特許文献１参照）。
【特許文献１】特許第３２３９６３６号公報
【発明の開示】
【発明が解決しようとする課題】
【０００６】
しかし上記構成における測定装置の機能切替方法は、測定装置を駆動する電池を着脱したり、センサチップの着脱を所定の回数繰り返したりする必要があるなど、操作がとても煩雑であり、高齢の糖尿病患者にはとても使いづらい欠点がある。
【０００７】
そこで本発明は、測定器の外装部に押し釦スイッチを設けたり、複雑な操作をしたりしなくても、測定器の設定の切り換えができるようにする濃度測定器の機能切替方法を提供するものである。
【課題を解決するための手段】
【０００８】
前記従来の課題を解決するために、本発明の濃度測定器の機能切替方法は、採取した検体試料と試薬との反応により生じる電気信号を検出するための、複数の電極端子を備えたセンサチップが装着されるとともに、前記センサチップの電極端子と電気的接続をなして、検体試料中の測定対象物の濃度を、前記電気信号から測定するための接続端子を備える濃度測定器において、前記測定用のセンサチップに代えて、電極端子間に任意の抵抗を持つ機能切替用チップを前記濃度測定器に装着可能に構成し、前記センサチップあるいは機能切替用チップが装着された後に、前記予め定めた接続端子を通じて前記チップに対して電圧を印加し、検出された前記接続端子間の抵抗値が所定の値である場合には、前記濃度測定器を、前記濃度を測定するモードから、濃度測定器の機能設定を変更するモードにすることを特徴とするものである。
【０００９】
また本発明の濃度測定器の機能切替方法においては、濃度測定器は、１つの正極用の接続端子と、複数の負極用の接続端子を備えており、チップが装着された後に、前記正極用の接続端子と、所定の１つの負極用の接続端子との間の抵抗値を測定し、前記抵抗値に基づいてモードの変更を行うようにしたことを特徴とするものである。
【００１０】
また、本発明は、上述の切替方法において、チップが挿入されたときに測定される正極用の接続端子と、所定の１つの負極用の接続端子との間の抵抗値が無限大であるように設定された機能切替用チップを用いることを特徴とするものである。
【００１１】
また本発明は、正極用の接続端子に対応する電極端子と、負極用の接続端子に対応する電極端子との間に抵抗を備えた機能切替用チップを用い、機能設定を変更するモードに入った後に、前記濃度測定器の機能設定を変更することを特徴とするものである。
【００１２】
さらに本発明は、正極用の接続端子に対応する電極端子と、負極用の接続端子に対応する電極端子との間にそれぞれ抵抗を備えた機能切替用チップを用いることを特徴とするものである。
【発明の効果】
【００１３】
本発明の濃度測定器の機能切替方法においては、センサチップの代わりに、電極端子のひとつとその他の電極端子間の抵抗値が任意に設定された機能設定用チップを挿入するだけで、濃度測定器のブザー音の有無や音量、カレンダー等の画面表示など、濃度測定器の機能設定を変更モードに簡単に入って設定することが出来ることとなり、高齢者の糖尿病患者にとっても使い易いものとなる。
【発明を実施するための最良の形態】
【００１４】
以下に、本発明の濃度測定器の機能切替方法について、その実施の形態を図面とともに詳細に説明する。
【００１５】
（実施の形態１）
図１はセンサチップ及び、センサチップが装着された血糖測定器における回路図を模式的に示したものである。
【００１６】
図１において、血糖値測定用のセンサチップ１３は、血液が採取されるとともにその血液と反応する試薬を有する分析部をその一端に有しており（図示せず）、他端にはその分析部に電圧を印加して電気信号を検出するため、前記分析部内に配置された測定電極及び対電極に通じる電極端子１７，１８，２２を備えている。またセンサチップ１３は、電極端子１９，２３も備えており、これら電極端子１９，２３の有無によるパターンの違いにより、センサチップ製造時におけるロットばらつきなどの検量線の情報を持たせるように構成をしている。
【００１７】
一方、血糖値測定器４０においては、センサチップ１３が装着されるコネクタ１６の内部に、センサチップ１３の電極端子１７と接続される正極用の接続端子８が設けられている。また同じくコネクタ１６の内部には、センサチップ１３の電極端子１７，１８，１９，２２，２３と接続される負極用の接続端子９，１０，２０，２４，２５が設けられている。
【００１８】
接続端子８は、演算増幅器１の反転入力端子１５に接続されており、他の接続端子９，１０，２０，２４，２５はスイッチ２６，２７，２８，２９，３０を介して基準電位１２に接続される。センサチップ１３がコネクタ１６に挿入されているとき、接続端子８，９は、センサチップ１３の電極端子１７を通して電気的に短絡している。
【００１９】
センサチップ１３が装着された場合、接続端子９に接続されているスイッチ２６をオンにし、他のスイッチをオフにすると、接続端子８と９間の抵抗が測定できる。このとき接続端子８と９間の抵抗がある閾値より小さくなるので、血糖値測定器はセンサチップ１３が正しく挿入されたと判断し、以降の血糖値測定動作を継続することとなる。
【００２０】
センサチップ１３が正しく装着されたことを確認した後に、接続端子８，１０，２４を通じてセンサチップ１３の電極端子に電圧を印加することによって、各電極から得られる電気信号を検知し、アナログデジタル変換回路３、演算回路４、メモリ５で処理して血糖値を出力回路７に出力する。
【００２１】
ここで、接続端子８と、他の接続端子１０，２０，２４，２５のそれぞれに対応するスイッチをオン、オフにすることによって正極用の接続端子８と他の負極用の接続端子１０，２０，２４，２５間の抵抗を知ることができる。これによって、電極端子の配置パターンが判り、パターンの違いによって、上述したように、センサチップの属性（製造ロットのばらつき等）を判断することができる。この属性に合わせて測定した血糖値の補正を行うことができる。
【００２２】
さて、図２に血糖値測定器４０を、測定用のモードから、機能切替用のモードに切り替え、そして、各種機能設定を変更するための機能切替用チップの平面図を示す。
【００２３】
機能切替用チップ５０は、図１に示したコネクタ１６の接続端子８に接続する電極端子Ａ、コネクタの接続端子９に接続する電極端子Ｂ、コネクタの接続端子１０に接続する電極端子Ｃ、コネクタの接続端子２０に接続する電極端子Ｄ、コネクタの接続端子２４に接続する電極端子Ｅ、コネクタの接続端子２５に接続する電極端子Ｆ、電極端子Ａと電極端子Ｃの間に抵抗Ｈ、電極端子Ａと電極端子Ｄ間に抵抗Ｇ、電極端子Ａと電極端子Ｅ間に抵抗Ｊ、電極端子Ａと電極端子Ｆ間に抵抗Ｉを有し、また、電極端子Ａと電極端子Ｂ間は電気的に絶縁状態になっている。
【００２４】
血糖値測定器４０に上記の機能切替用チップ５０を挿入すると、まず血糖値測定器４０は、機能切替用チップ５０の電極端子Ａと電極端子Ｂ間の抵抗を測定する。このとき、電極端子Ａと電極端子Ｂ間は絶縁されているので、抵抗がある閾値以上となり、上述のセンサチップ１３ではないチップ、すなわち機能切替用チップ５０が挿入されたと判断し、血糖値測定器４０を機能切替用のモードにする。
【００２５】
機能切替用のモードに入った後、電極端子Ａと他の電極端子Ｃ，Ｄ，Ｅ，Ｆ間の抵抗を測定する。このときは血糖測定器４０のスイッチ２６〜３０を上述したような動作で順次切り替えて抵抗値の測定を行う。
【００２６】
ここで電極端子Ａと電極端子Ｃの抵抗値が予め設定された値であると判断すると、たとえば、血糖値測定器４０の表示画面に表される、血糖値の表示単位を変更する処理を行う。また、例えば電極端子Ａと電極端子Ｄの抵抗値が予め設定された値であると判断すれば、ブザーの音量を変更するなど行う。
【００２７】
このように電極端子Ａと他の電極端子Ｃ、Ｄ、Ｅ、Ｆ間の抵抗を組み合わせたり、互いの抵抗の大きさを異ならせることで、カレンダー設定や、時刻設定等の多種多様な設定を変更するための機能切替用モードに入り、そして機能設定を行うことが出来る。
【００２８】
ところで、実際に血糖値の測定が行われた後の使用済みのセンサチップ１３が血糖値測定器４０に装着された場合、この使用済みのセンサチップ１３は、血液が乾燥した状態で、電極端子１７と他の電極端子１８，２２間で抵抗を持つこととなる。しかし機能切替用チップは、上記したように接続端子８と９の間が絶縁状態の場合にのみ、機能設定モードに入り、電極端子Ａと他の電極端子Ｃ，Ｄ，Ｅ，Ｆ間の抵抗を測定する動作を行うので、使用済みセンサチップが挿入されても接続端子８と９の間は短絡状態なので各種設定を変更したり、機能切替用モードに入ることはなく、濃度測定器は、センサチップの使用済みである旨を報告する。
【００２９】
また使用済みセンサチップが表裏反対に挿入された場合は、接続端子８と９の間の抵抗がある閾値以上となり、機能設定の切替用のモードに入ろうとするが、センサチップ１３の裏面には電極端子が存在しないため、実際に機能切替用モードに入って各種設定を変更したりすることはなく、血糖値測定器４０は、センサチップを表裏反対に間違って装着していることのエラーを報告する。このようにユーザーが使用済みセンサチップを間違って濃度測定器に挿入したとしても設定が変わることは発生しない。
【００３０】
ここで図３を用いて機能設定変更のフローの一例を示す。なおここでの説明で図２の機能切替用チップ５０の抵抗Ｈの大きさを１０ＫΩとし、このチップがブザー音を大きくする機能切替用チップであるとして説明する。
【００３１】
この機能切替用チップ５０は、電極端子Ａと電極端子Ｂ間は、オープン状態であり、電極端子Ａと電極端子Ｃ間に抵抗１０ＫΩが実装されている。この機能切替用チップが挿入された場合、この血糖値測定器４０は、図３に示されるフローにおいて、電極端子Ａと電極端子Ｂ間がショートであるかどうかの場合分けでＮＯとなり、機能切替用のモードに入る。
【００３２】
そして次の電極端子Ａと電極端子Ｃ間の抵抗が１０ＫΩかどうかの場合分けでＹＥＳとなり、ブザー音を大きくするように設定する。
【００３３】
また、この実装されている抵抗Ｈが例えば、１２ＫΩであったならば、その次の場合分けにおいてＹＥＳとなり、ブザー音を小に設定する。
【００３４】
そして順次、電極端子ＡとＣ間で、抵抗値を順次大きくしていった場合の場合分けを行い、全ての判別でＮＯとなった場合には、血糖値測定器４０は、センサチップが表裏反対に挿入されたと判断し、エラーを報告する。
【００３５】
この例は、電極端子Ａと電極端子Ｃ間のみに抵抗を実装しているが、他の電極端子Ｄ、Ｅ、Ｆ間にも抵抗を実装することが出来るので、これらの組合せで機能切替用モードに入った後に、多種多様な設定を変更することが出来る。
【００３６】
上述の例では、血糖測定器を例に説明したが、これに限らず、乳酸やコレステロール、尿酸などを測定する濃度測定器についても本技術を適用することができる。
【産業上の利用可能性】
【００３７】
以上のように本発明は、濃度測定器において、センサチップの代わりに、電極端子のパターンが異なり、そして電極端子間に抵抗を設けた機能切替用チップを挿入することで、機能切替用モードに簡単に入り、ブザー音量変更などの機能設定変更が簡単に出来る。
【図面の簡単な説明】
【００３８】
【図１】本発明の適用される血糖値測定器の回路図
【図２】本発明の実施の形態における機能切替用チップの平面図
【図３】本発明の実施の形態におけるフローチャート
【符号の説明】
【００３９】
１  演算増幅器
２  帰還抵抗
３  アナログ−デジタル変換装置
４  演算回路
５  メモリ
６  出力端子
７  出力回路
８，９，１０，２０，２４，２５  接続端子
１１，１２  基準電位
１３  センサチップ
１４  非反転入力端子
１５  反転入力端子
１６  コネクタ
１７，１８，１９，２２，２３  電極端子
Ａ，Ｂ，Ｃ，Ｄ，Ｅ，Ｆ  電極端子
Ｇ，Ｈ，Ｉ，Ｊ  抵抗
４０  血糖値測定器
５０  機能切替用チップ
【図１】
2005147688.tif 000003
【図２】
2005147688.tif 000004
【図３】
2005147688.tif 000005